(57)【要約】【課題】  突入電流低減用の突入電流防止抵抗を備えると共に、間違って調光点灯されても、前記突入電流防止抵抗に過度な電流が流れるのを防ぐことができる点灯ユニット及び低圧水銀放電ランプを提供することを目的とする。【解決手段】  電球形蛍光ランプ１は、ホルダー２０とケース３０とを組み立て、このケース３０の内部に、発光管１０を点灯させる点灯ユニット５０を収納している。この点灯ユニット５０は、整流・平滑回路部とインバータ回路部と共振回路部とを基板５１に備え、整流・平滑回路部の入力側に接続される突入電流防止抵抗６２を有する。突入電流防止抵抗６２の本体部外周が、整流・平滑回路部に使用される電解コンデンサ５３と共振回路部に使用される共振用コンデンサ５４の両本体部外周に接触する状態で配置されている。  【選択図】  図１
2005243464.tif 000002
【特許請求の範囲】
【請求項１】
整流・平滑回路部とインバータ回路部と共振回路部とを基板に備え、前記整流・平滑回路部の入力側に接続される突入電流防止抵抗を有する低圧水銀放電ランプ用の点灯ユニットにおいて、
前記突入電流防止抵抗の本体部が、前記整流・平滑回路部に使用される平滑コンデンサと前記共振回路部に使用される共振用コンデンサとの内、少なくとも一方のコンデンサの本体部外周に接触又は近接する状態で配置されていることを特徴とする点灯ユニット。
【請求項２】
前記平滑コンデンサの本体部は、前記基板に対して前記共振用コンデンサの本体部よりも離れて配置され、
前記突入電流防止抵抗の本体部は、前記基板と反対側部分が前記平滑コンデンサの本体部に接触又は近接すると共に前記基板側部分が前記共振用コンデンサの本体部に接触又は近接していることを特徴とする請求項１に記載の点灯ユニット。
【請求項３】
発光管と、前記発光管を点灯させるための点灯ユニットと、前記発光管を保持すると共に内部に前記点灯ユニットを収納する筒状のケースと、前記ケースの前記発光管を保持する側と反対側に被着される口金とを備える低圧水銀放電ランプであって、
前記点灯ユニットは、整流・平滑回路部とインバータ回路部と共振回路部とを基板に備えると共に、前記整流・平滑回路部の入力側に接続された突入電流防止抵抗を有し、
前記突入電流防止抵抗の本体部が、前記整流・平滑回路部に使用される平滑コンデンサと前記共振回路部に使用される共振用コンデンサとの内、少なくとも一方のコンデンサの本体部外周に接触又は近接していることを特徴とする低圧水銀放電ランプ。
【請求項４】
前記少なくとも一方のコンデンサは平滑コンデンサであり、
前記共振回路部に用いられるチョークコイルと前記平滑コンデンサとが、前記チョークコイルが前記発光管側に位置する状態で、前記ケースの軸心方向に並べて配置され、前記突入電流防止抵抗の本体部外周が前記平滑コンデンサの本体部外周に接触又は近接していることを特徴とする請求項３に記載の低圧水銀放電ランプ。
【請求項５】
前記突入電流防止抵抗の本体部における前記発光管と反対側部分が、前記平滑コンデンサの本体部に接触又は近接し、前記突入電流防止抵抗の発光管側部分が共振用コンデンサの本体部に接触又は近接していることを特徴とする請求項４に記載の低圧水銀放電ランプ。
【請求項６】
前記ケースは、前記口金が被着する小径部と、前記小径部より径が大きい大径部と、前記小径部と前記大径部との間であって小径部から大径部へと拡径するテーパ部とを備え、
前記基板が、その主面が前記ケースの管軸と直交する状態で前記大径部内に取着され、
前記平滑コンデンサの本体部の少なくとも一部が、前記口金の内側に位置する状態に配されていることを特徴とする請求項４又は５に記載の低圧水銀放電ランプ。
【請求項７】
前記突入電流防止抵抗は、本体部の両端から導出するリード線を備え、一方のリード線が前記平滑コンデンサの本体部と前記小径部の内周面との間を通って前記口金に接続され、
前記突入電流防止抵抗は、前記平滑コンデンサと前記小径部の内周面との隙間に挿入して前記平滑コンデンサと接触していることを特徴とする請求項６に記載の低圧放電ランプ。
【請求項８】
前記共振用コンデンサの本体部が、前記テーパ部に沿って傾斜した状態で前記突入電流防止抵抗に接触又は近接していることを特徴とする請求項６又は７に記載の低圧水銀放電ランプ。
【請求項９】
前記ケースの耐熱温度と前記平滑コンデンサの耐熱温度との差が、３０℃以上あることを特徴とする請求項３〜８のいずれか１項に記載の低圧水銀放電ランプ。
【発明の詳細な説明】
【技術分野】
【０００１】
本発明は、低圧水銀放電ランプ用の点灯ユニット及び当該点灯ユニットを備える低圧水銀放電ランプに関し、特に高周波インバータ方式を用いた点灯ユニットに関する。
【背景技術】
【０００２】
近年の省エネルギ化に伴い、照明の分野においても、従来から用いられていた白熱電球に代えて、ランプ効率が高く、しかも長寿命な低圧水銀放電ランプ、ここでは電球形蛍光ランプが用いられるようになってきている。
この電球形蛍光ランプ（以下、単に「ランプ」という。）は、発光管と、発光管を点灯駆動するための点灯ユニットと、発光管を保持すると共に内部に点灯ユニットを収納するケースなどから構成されている。ケースの一端には、照明器具側のソケットへのランプの取り付けおよび商用電源からの電力を取り込むための口金が設けられている。
【０００３】
点灯ユニットは、所謂、インバータ方式のものであって、例えば、ダイオードブリッジ素子を有する整流回路部と、一対のＦＥＴ素子を有するインバータ回路部と、チョークコイルと共振用コンデンサなどからなる共振回路部などから構成されている。
特に、近年の高周波インバータでは、直流電源を入力して高周波に変換するため、ダイオードブリッジ素子で整流された電流を平滑化する平滑コンデンサを有する平滑回路部を整流回路部の出力側に備えた、所謂コンデンサインプット方式が採用される傾向にある（例えば、特許文献１参照。）。ここで、点灯ユニットにおいて、上記整流回路部及び平滑回路部を有する場合、これらを纏めて、「整流・平滑回路部」という。
【０００４】
なお、このような点灯ユニットの中には、電源投入時の突入電流を低減させるために、整流・平滑回路部の入力側に突入電流防止抵抗を取り付けたものがある。
【特許文献１】特開２０００−７７１９５号公報
【発明の開示】
【発明が解決しようとする課題】
【０００５】
しかしながら、従来の点灯ユニットは、電球形蛍光ランプが全点灯されている場合は問題ないが、位相制御による調光点灯されると、整流・平滑回路部に印加される電圧波形が歪んでしまい、平滑コンデンサへの入力電流が増大するという問題がある。
つまり、従来の白熱電球は、位相制御による調光点灯が可能である一方、この白熱電球の代替である電球形蛍光ランプが調光機能付きの照明器具に間違えて装着され、調光点灯される場合が起こり得る。
【０００６】
特に、突入電流防止抵抗を整流・平滑回路部の入力側に備える点灯ユニットでは、突入電流防止抵抗に過度な電流が流れてしまうため、突入電流抵抗の温度上昇をもたらす。近年、ランプの小型化の要請が強いために、突入電流防止抵抗がケースに近接しているような場合が多く、温度上昇した突入電流防止抵抗の熱によりケースが変色する他、酷い場合には、ケースにおける突入電流防止抵抗の近傍部分が溶融することも十分に考えられる。
【０００７】
なお、突入電流の低減を図り、さらに、ランプを調光点灯させても、誤作動しない点灯ユニットとしては、例えば、特開２００１−２８４０７４号公報に記載されているが、この技術は、コンデンサインプット方式を採用しておらず、回路構成が異なるためコンデンサインプット方式の電球形蛍光ランプに適用することはできない。
本発明は、上記にような問題点を鑑みてなされたものであって、突入電流の低減用の突入電流防止抵抗を備えると共に、間違って調光点灯されても、前記突入電流防止抵抗に過度な電流が流れるのを防ぐことができる点灯ユニット及び低圧水銀放電ランプを提供することを目的とする。
【課題を解決するための手段】
【０００８】
上記目的を達成するために、本発明に係る点灯ユニットは、整流・平滑回路部とインバータ回路部と共振回路部とを基板に備え、前記整流・平滑回路部の入力側に接続される突入電流防止抵抗を有する低圧水銀放電ランプ用であり、前記突入電流防止抵抗の本体部が、前記整流・平滑回路部に使用される平滑コンデンサと前記共振回路部に使用される共振用コンデンサとの内、少なくとも一方のコンデンサの本体部外周に接触又は近接する状態で配置されていることを特徴としている。
【０００９】
一方、本発明に係る低圧水銀放電ランプは、発光管と、前記発光管を点灯させるための点灯ユニットと、前記発光管を保持すると共に内部に前記点灯ユニットを収納する筒状のケースと、前記ケースの前記発光管を保持する側と反対側に被着される口金とを備え、前記点灯ユニットは、整流・平滑回路部とインバータ回路部と共振回路部とを基板に備えると共に、前記整流・平滑回路部の入力側に接続された突入電流防止抵抗を有し、前記突入電流防止抵抗の本体部が、前記整流・平滑回路部に使用される平滑コンデンサと前記共振回路部に使用される共振用コンデンサとの内、少なくとも一方のコンデンサの本体部外周に接触又は近接していることを特徴としている。
【００１０】
なお、ここでいう「低圧水銀放電ランプ」は、電球形蛍光ランプ以外に、発光管内に蛍光体層を有しないランプを含む概念である。
【発明の効果】
【００１１】
本発明に係る点灯ユニット及び低圧水銀放電ランプは、例えば、間違って調光点灯された場合、突入電流防止抵抗の電流量が増え、突入電流防止抵抗の温度が上昇する。この突入電流防止抵抗の熱は、接触又は近接しているコンデンサに伝わり、コンデンサの温度が上昇し、コンデンサの温度が耐熱温度を超えると、コンデンサが破壊して点灯ユニットの機能が停止する。このため、突入電流防止抵抗に過度な電流が、点灯ユニットを覆うケースの外観に変化を及ぼすほど長時間に亘って、流れるのを未然に防ぐことができる。
【発明を実施するための最良の形態】
【００１２】
以下、本発明に係る点灯ユニットを備えた電球形蛍光ランプ（以下、同様に、「ランプ」という。）について、図面を参照しながら説明する。
１．ランプ１の全体構成
図１は、ランプ１を側面より見た断面図であり、内部の様子が分かるように一部を切り欠いている。この図に示すランプ１は、６０Ｗタイプの白熱電球の代替用である１２Ｗ品種である。
【００１３】
図１に示すように、ランプ１は、放電路が二重螺旋状に形成された発光管１０と、この発光管１０を保持するためのホルダー２０と、発光管１０を点灯駆動するための点灯ユニット５０と、一端に口金４０が取り付けられ、ホルダー２０及び点灯ユニット５０を覆うように設けられたケース３０とから構成されている。なお、ホルダー２０及びケース３０とで、本発明の「ケース」が構成される。
【００１４】
発光管１０は、軟質ガラスからなるガラス管（例えば、外径；９．０［ｍｍ］）を、その略中央部で折り返し、この折り返した部分から端部までを折り返した部分を通る旋回軸周りに旋回して形成されたものを用いている。
発光管１０の内部（放電路）における両端部分、つまり、ガラス管の端部には、フィラメントコイルを有する電極（不図示）が各々設けられている。このとき、放電路内における電極と電極との距離（放電路長）は、例えば、４００ｍｍに設定されている。そして、発光管１０の内面には、蛍光体層が形成され、放電路内には、水銀およびＡｒ・Ｎｅ等の混合ガスが封入されている。
【００１５】
ホルダー２０は、ＰＥＴ（ポリエチレンテレフタレート）などの樹脂材から構成されており、発光管１０における電極形成部分の近傍領域の形状に合わせた挿入孔（不図示）を有している。発光管１０は、ホルダー２０における挿入孔に電極形成部分が挿入され、シリコーン樹脂などの材料からなる樹脂材２１によりホルダー２０内で固定されている。
ケース３０は、例えば、ＰＢＴ（ポリブチレンテレフタレート）からなり、小径部３０ａと、小径部３０ａより径が大きい大径部３０ｂと、小径部３０ａと大径部３０ｂとの間であって小径部３０ａから大径部３０ｂへと拡径するテーパ部３０ｃとを備え、漏斗状をしている。
【００１６】
ケース３０の大径部３０ｂの内周面にはホルダー２０が、そして、小径部３０ａの外周面には口金４０がそれぞれ取着されている。なお、ここでの説明では、ホルダー２０の外周がケース３０の大径部３０ｂに被着されているが、例えば、ケースとホルダーとが一体になったものでも良い。
つまり、本発明のケースは、発光管を保持すると共に小径部に口金が被着され、内部に点灯ユニットを収納するものであれば良く、部品点数、形状等特に限定するものではない。
【００１７】
口金４０は、例えば、金属筒の側壁外面にネジ溝が刻まれたものであり、ここでは、Ｅ１７タイプが用いられている。口金４０は、Ｅ１７タイプに限定するものではなく、例えば、Ｅ２６タイプでも良いし、さらには、Ｂ形でも良い。
点灯ユニット５０は、ケース３０内に収納されており、主面に所定のパターンに配線されたプリント基板５１に複数の電子部品が実装されることによって構成されている。なお、点灯ユニット５０は、図１に示すように、プリント基板５１の周縁がケース３０の係止部３１，３２により係止されて、ケース３０の内部に取り付けられる。
【００１８】
２．ランプの回路構成について
図２は、点灯ユニット５０を含むランプ１の回路構成を説明する。
点灯ユニット５０は、主に整流・平滑回路部１００、インバータ回路部１１０、共振回路部１２０とから構成されている。
整流・平滑回路部１００は、商用低周波交流を整流・平滑して直流に変換して出力するものであって、例えば、ダイオードブリッジ素子５７、平滑用の電解コンデンサ５３などから構成されている。つまり、この点灯ユニット５０は、コンデンサインプット方式の回路である。
【００１９】
点灯ユニット５０は、口金４０を介して商用低周波交流電源に接続され、また、口金４０と整流・平滑回路部１００との間、つまり、整流・平滑回路部１００の入力側に突入電流防止抵抗６２が接続されている。
この突入電流防止抵抗６２は、例えば、ランプへの印加電圧が異なる照明器具にランプが間違えて装着され点灯された際に、ランプに入力される電源投入時の突入電流を低減させるためのものである。
【００２０】
インバータ回路部１１０は、整流・平滑回路部１００から出力された直流を高周波に変換するものであって、例えば、スイッチング素子として機能するｐＭＯＳ−ＦＥＴ素子５５およびｎＭＯＳ−ＦＥＴ素子５６の他、これらのＦＥＴ素子５５，５６を保護するための保護用のツェナーダイオード素子５９，６０、後述の機能を有するコイル５８等を有している。
【００２１】
このインバータ回路部１１０の出力側には、共振回路部１２０が接続されている。共振回路部１２０は、インバータ回路部１１０の両ＦＥＴ素子５５，５６に反転電圧を所定の周期で印加させるためのものであり、チョークコイル５２と共振用コンデンサ５４とを備える。なお、コイル５８は、チョークコイル５２の２次側コイルとして機能する。
ここで、インバータ回路部１１０と共振回路部１２０との動作について簡単に説明する。まず、チョークコイル５２に、所定方向の電流が流れると、２次側コイルとして機能するコイル５８にチョークコイル５２に流れた電流に応じて起電力が生じ、これが反転電圧としてＱ点に接続されたＦＥＴ素子５５，５６のゲートに印加される。これにより、発光管１０の各電極１１，１２（図２参照）に所定の高周波電流が供給される。
【００２２】
３．点灯ユニットの部品構成及びその配置について
図３は、点灯ユニットの部品配置を示す斜視図である。
点灯ユニット５０は、上述した各回路部を構成する電気・電子部品５２〜６０がプリント基板５１の表裏面に実装されている。ここで、プリント基板５１の表面を、口金４０と対向する面とし、図１ではプリント基板５１の下面に相当し、また図３では上面に相当する。
【００２３】
上記の殆どの部品が、その本体部から一対のリード線が導出しており、そのリード線の先端がプリント基板５１の挿入孔に挿入されて、プリント基板５１の裏面で半田により固着される。これにより電気・電子部品（以下、単に「部品」という。）がプリント基板５１に実装され、また、電気的に接続される。
プリント基板５１の表面には、図３に示すように、チョークコイル５２、電解コンデンサ５３、共振用コンデンサ５４、ｐＭＯＳ−ＦＥＴ素子５５等の部品が実装されている。
【００２４】
上記部品のうち、チョークコイル５２は、点灯ユニット５０に実装される電子部品の内でも比較的大きな容積を占有するため、図３に示すように、プリント基板５１の略中央に配置され、このチョークコイル５２よりも口金４０側に電解コンデンサ５３が配置されている。
電解コンデンサ５３は、円柱状の本体部５３ａと、当該本体部５３ａの一端面（下面）から導出する一対のリード線５３ｂ，５３ｂを備え、例えば、１６０［Ｖ］、１２［μＦ］というスペックを有するものが用いられている。
【００２５】
電解コンデンサ５３の一対のリード線５３ｂは、本体部５３ａがチョークコイル５２の上方（プリント基板５１の主面に対して直交し、表面から離れる方向）に位置するようにチョークコイル５２に沿って湾曲している。
ここで、電解コンデンサ５３をチョークコイル５２の上方に配置している理由は、この電解コンデンサ５３は点灯ユニット５０に実装された部品の中でも特に熱に弱い（例えば、動作温度が１１０℃以下）という性質を有しているため、点灯ユニット５０をケース３０内に配設した際に、図１に示すように、ランプ１の点灯時に温度上昇が最も少ない口金４０の取り付け部分の内部空間に電解コンデンサ５３の本体部５３ａの略全体が入るようにするためである。なお、ここでは、電解コンデンサ５３の本体部５３ａの全体が前記内部空間に入っているが、電解コンデンサ５３の本体部５３ａの一部が入るようにしても良い。
【００２６】
突入電流防止抵抗６２は、円柱状の本体部６２ａと、この本体部６２ａから導出する一対のリード線６２ｂ，６２ｃとを備え、例えば、４．７［Ω］というスペックのものが用いられている。この突入電流防止抵抗６２は、一方のリード線６２ｂがプリント基板５１に接続され、他方のリード線６２ｃが口金４０に接続されている。なお、口金４０とプリント基板５１とを接続するリード線についての図示は省略している。
【００２７】
突入電流防止抵抗６２は、その本体部６２ａの上部側（口金４０側）が電解コンデンサ５３の本体部５３ａの外周面に接触する状態でプリント基板５１に実装されている。具体的には、突入電流防止抵抗６２のリード線６２ｂは、突入電流防止抵抗６２の本体部６２ａと電解コンデンサ５３の本体部５３ａとが接触するように、上方（プリント基板５１の面と直交する方向に対してプリント基板５１の表面から離れる方向）に移るに従ってチョークコイル５２に近づくように傾斜している。なお、図４に示すように、突入電流防止抵抗６２の本体部６２ａにおけるプリント基板５１側の端面と、プリント基板５１の表面との距離Ｌ１が、２０ｍｍとなっている。
【００２８】
また、突入電流防止抵抗６２のリード線６２ｃが、図１に示すように、電解コンデンサ５３の本体部５３ａと小径部３０ａの内周面との間を通って口金４０に接続されている。なお、突入電流防止抵抗６２は、本体部６２ａにおけるリード線６２ｃ側の部分が、電解コンデンサ５３と小径部３０ａの内周面との隙間に挿入されて電解コンデンサ５３の本体部５３ａに接触している。
【００２９】
共振用コンデンサ５４は、図３及び図４に示すように、本体部５４ａと、この本体部５４ａから導出する一対のリード線５４ｂ（，５４ｂ）とを備える。この共振用コンデンサ５４は、例えば、５６００［ｐＦ］の容量を有するポリエステルコンデンサが用いられ、チョークコイル５２の近傍に配置されている。
共振用コンデンサ５４の本体部５４ａの外周面は、突入電流防止抵抗６２の本体部６２ａの下部側（プリント基板５１側）の外周面に接触する状態で実装されている。具体的には、共振用コンデンサ５４の本体部５４ａの上部（リード線５４ｂが延出している側と反対側部分）を、図４に示すように、チョークコイル５２側に傾斜するようにリード線５４ｂを湾曲させることで両者を接触させている。なお、この状態では、共振用コンデンサ５４の本体部５４ａは、ケース３０のテーパ部３０ｃの内周面に沿うようになっている。
【００３０】
上記の突入電流防止抵抗６２、共振用コンデンサ５４は、これらの本体部６２ａ、５４ａが、プリント基板５１の表面から当該面に対して直交する方向に離れるに従って、ランプ１の中心側に傾斜させているのは、電解コンデンサ５３、突入電流防止抵抗６２、共振用コンデンサ５４とを接触させるためと、漏斗状のケース３０の内部にこれらの部品をコンパクトに収納するためである。
【００３１】
なお、チョークコイル５２、電解コンデンサ５３、突入電流防止抵抗６２、共振用コンデンサ５４以外の部品、例えば、ツェナーダイオード素子５９，６０等は、チョークコイル５２の周辺に配されている。
４．ランプの点灯動作について
上記構成のランプ１の点灯動作については公知であるので、ここでは、図２を用いて簡単に説明する。
【００３２】
商用低周波電源から口金４０を介してランプ１に供給された交流電力は、整流・平滑回路部１００において一旦直流電力に変換され、ｎＭＯＳ−ＦＥＴ素子５６のゲートに印加される。これにより、チョークコイル５２を介して電極１１，１２に印加される。一方、チョークコイル５２に電流が流れると、チョークコイル５２の２次側コイルとして機能するコイル５８に起電力が生じ、これが反転電圧としてＱ点に接続されたＦＥＴ素子５５，５６のゲートに交互に印加され、発光管１０の各電極１１，１２に所定の高周波電流が供給される。なお、一旦、電極１１，１２から放電が開始された発光管１０では、負性インピーダンスを有し、点灯ユニット５０からの供給電流が制限されることで放電が維持される。
【００３３】
５．ランプの異常点灯動作について
ここでは、上記構成のランプ１が位相制御方式の調光機能を備えた照明器具に取り付けられた場合について、図４を用いて説明する。なお、図４は、点灯ユニットの突入電流防止抵抗の周辺部の拡大図である。
ランプ１を位相制御方式で調光点灯させると、上記「発明が解決しようとする課題」の欄で説明したように、点灯ユニット５０の突入電流防止抵抗６２に流れる電流が増大し、突入電流防止抵抗６２の温度が上昇する。
【００３４】
高温となった突入電流防止抵抗６２は、図４に示すように、その本体部６２ａの上部側が電解コンデンサ５３の本体部５３ａに、また、その下部側が共振用コンデンサ５４の本体部５４ａに接触しているため、突入電流用抵抗６２に蓄積した熱は、図４の矢印Ａのように電解コンデンサ５３に伝わり、また同図の矢印Ｂのように共振用コンデンサ５４へと伝わる。
【００３５】
ランプ１は、さらに、調光点灯され、時間の経過と共に整流・平滑回路部１００に印加される電圧波形が歪み、突入電流防止抵抗６２の温度がますます上昇し、この温度上昇した突入電流防止抵抗６２の熱が電解コンデンサ５３と共振用コンデンサ５４に伝わり、両コンデンサ５３，５４の温度がさらに上昇する。
そして、電解コンデンサ５３及び共振用コンデンサ５４の温度が、これらのコンデンサの耐熱温度、例えば、１１０［℃］を越えた時点で、両コンデンサ５３，５４が熱により破壊する。
【００３６】
例えば、電解コンデンサ５３が破壊した場合、その容量が大幅に減少するため、電解コンデンサ５３への充電電流が減少する。一方、共振用コンデンサ５４が破壊した場合、チョークコイル５２との共振動作が停止し、インバータ回路部１１０の両ＦＥＴ素子５５，５６に反転電圧の印加ができなくなり、結果として、インバータ回路部１１０と、共振回路部１２０との動作が停止する。これにより、電解コンデンサ５３が開放状態となり、放電がなくなると共に、電解コンデンサ５３への充電電流も減少する。
【００３７】
上述のように、電解コンデンサ５３或いは共振用コンデンサ５４のうち、いずれか一方のコンデンサ５３，５４が破壊すると、電解コンデンサ５３への充電電流を減少させることになると共に、当然突入電流防止抵抗６２に流れる電流も減少する。これにより、突入電流防止抵抗６２の発熱量も減少し、それ以上の温度上昇を防止できる。
一方、本実施の形態で用いているケース３０の耐熱温度（２５０［℃］）は、電解コンデンサ５３と共振用コンデンサ５４の耐熱温度（１１０［℃］）よりも高くなっている。このため、突入電流防止抵抗６２が異常に発熱し始めた場合であっても、ケース３０に変色等の不具合が生じる温度に達する前に、電解コンデンサ５３及び／又は共振用コンデンサ５４が破壊する。
【００３８】
従って、突入電流防止抵抗６２、電解コンデンサ５３、共振用コンデンサ５４等の発熱部材をケース３０の内周面に近接して配置でき、部品配置の効率を高めてケース３０を小型化することができる。
（変形例）
以上、本発明を実施の形態に基づいて説明したが、本発明の内容が、上記の実施の形態に示された具体例に限定されないことは勿論であり、例えば、以下のような変形例を実施することができる。
【００３９】
１．ランプについて
上記実施の形態においては、１２Ｗ品種の電球型蛍光ランプを一例として説明したが、ランプの品種、サイズ等についてもこれに限定を受けるものではない。また、言うまでもなく、点灯ユニットを構成する電子部品の定格、あるいは種類などは、突入電流防止抵抗６２が電解コンデンサ５３、共振用コンデンサ５４の少なくとも一方に接触するような構成としておれば、上記実施の形態に限定されるものではない。
【００４０】
また、上記の実施の形態では、発光管を構成するガラス管の端部にフィラメントを有する電極が封止された有電極型のランプについて説明したが、例えば、誘導磁界を利用した、いわゆる、無電極型のランプについても適用できる。
実施の形態では、発光管の形状が２重螺旋状をしているが、当然、他の形状であっても良い。他の形状の例としては、例えば、１本のガラス管を湾曲させたＵ字状、そして前記Ｕ字状のガラス管をさらに屈曲させた、いわゆる、「くら形」にした形状、また、Ｕ字状に湾曲させたガラス管を複数本、例えば、２本、３本結合させた形状であっても良い。
【００４１】
３．コンデンサと突入電流防止抵抗と距離について
実施の形態では、突入電流防止抵抗を電解コンデンサ及び共振用コンデンサに接触させていたが、突入電流防止抵抗が発熱した際に、ケースに伝わる熱量よりも、電解コンデンサ及び共振用コンデンサに伝わる熱量が多ければ、これらと接触していなくても良い。つまり、突入電流防止抵抗は、電解コンデンサ及び／又は共振用コンデンサに近接しておれば、これらのコンデンサの温度が常にケースの内周面の温度より高くなり、ケースが熱により変色する前に、コンデンサが破壊するからである。
【００４２】
４．発光管を覆う外管バルブについて
上記の実施の形態では、発光管を覆う外管バルブを有しないタイプ、いわゆるＤ形について説明したが、例えば、Ａ形、Ｔ形、Ｇ形の外管バルブを備えたタイプであっても良い。
５．その他
上記実施の形態では、電解コンデンサ及び共振用コンデンサに突入電流防止抵抗を接触させていたが、原理的には、両コンデンサのうち、１つのコンデンサが接触しておれば、本発明は成立する。しかしながら、安全への信頼性向上という観点からは、両コンデンサに突入電流防止抵抗を接触させた方が好ましい。
【００４３】
また、ケースの耐熱温度は、上記実施の形態で説明した数値に限定するものではなく、突入電流防止抵抗が発熱した場合、電解コンデンサあるいは共振用コンデンサがその熱により破壊した時に、ケースに変色等の不具合が生じない程度の耐熱性があれば良い。
つまり、上記実施の形態では、ケース３０の耐熱温度が２５０［℃］、電解コンデンサ５３の耐熱温度が１１０［℃］であり、両者の耐熱温度の差は１４０［℃］となっている。しかしながら、この両者の耐熱温度の差は、突入電流防止抵抗６２と電解コンデンサ５３との接触の度合い、突入電流防止抵抗６２に流れる電流のバラツキ、さらには、ケースの形状、突入電流防止抵抗とケースとの距離によっても変化するが、実施の形態での構成では３０[℃]以上あれば良い。なお、これらの耐熱温度は、実際に使用する電解コンデンサ或いは共振用コンデンサの耐熱温度によっても変わり適宜決定する必要が生じる場合もある。
【産業上の利用可能性】
【００４４】
本発明は、突入電流防止抵抗の異常発熱を抑制することができる点灯ユニット及び低圧水銀放電ランプに利用できる。
【図面の簡単な説明】
【００４５】
【図１】本発明の実施の形態におけるランプ１を側面より見た断面図である。
【図２】点灯ユニット５０を含むランプ１の回路構成図である。
【図３】点灯ユニットの部品配置を示す斜視図である。
【図４】点灯ユニットの突入電流防止抵抗の周辺部の拡大図である。
【符号の説明】
【００４６】
１      ランプ
１０      発光管
２０      ホルダー
３０      ケース
４０      口金
５０      点灯ユニット
５１      プリント基板
５２      チョークコイル
５３      電解コンデンサ
５４      共振用コンデンサ
６２      突入電流防止抵抗
【図１】
2005243464.tif 000003
【図２】
2005243464.tif 000004
【図３】
2005243464.tif 000005
【図４】
2005243464.tif 000006